(57)【要約】【課題】  雨水浸透調整機能および発生ガス排出機能を備えることはもちろんのこと、容易に敷設できて施工性を向上でき、表層崩壊も防ぐことのできるシートおよびその敷設方法を得る。【解決手段】  覆土構成材料として敷設され、全面に多数の凹部２と凸部３をスポット的に設け、凸部３の頂部に雨水浸透・発生ガス排気のための開口４を形成したシート１の上面に上層覆土材６を敷設して転圧し、シート１の凹凸を上下の覆土層内に食い込ませる。【選択図】        図４
2005211706.tif 000002
【特許請求の範囲】
【請求項１】
覆土構成材料として敷設されるシートであって、略円すい形の凹凸を設け、凸部の頂部または凹部の底部に雨水浸透・発生ガス排気のための開口を形成したことを特徴とするシート。
【請求項２】
覆土構成材料として敷設され、全面に多数の凹凸をスポット的に設け、凸部の頂部に雨水浸透・発生ガス排気のための開口を形成したシートの上面に上層覆土材を敷設して転圧し、シートの凹凸を上下の覆土層内に食い込ませることを特徴とするシートの敷設方法。
【請求項３】
上層覆土材に砕石などの排水性の高い材料を敷設することを特徴とする請求項２に記載のシートの敷設方法。
【発明の詳細な説明】
【技術分野】
【０００１】
この発明は、例えば廃棄物最終処分場の最終覆土に使用するシートおよびその敷設方法に関するものである。
【背景技術】
【０００２】
廃棄物の最終処分は廃棄ピットの内部に廃棄物を埋め立てる埋立処分により行っており、所定量の廃棄物が埋め立てられると、その上部に最終覆土を設けて廃棄物の処分を完了し、その後は公園などの跡地利用が図られている。
【０００３】
前記最終覆土はこれを覆土のみで形成した場合、雨水が廃棄物層内に浸透して、多量の浸出水を生じることとなる。浸出水が多量に発生すれば、それを放流可能な水質にまで処理する施設の運転費が不経済となるほか、故障などが原因で処理施設の機能が低下した場合には、埋立地内に浸出水が滞留し、嫌気的条件による廃棄物の安定化の遅延や、過剰水圧に伴う遮水シートの破損・周辺環境への浸出水の拡散が生じる可能性がある。そこで、最終処分場表面からの雨水浸透を防止し、浸出水発生量を抑制する方法が取られてきた。
【０００４】
一方、廃棄物の分解に伴い発生するガスについては、処分場底面や斜面部に配置された浸出水集排水設備や法面ガス抜き設備、竪型ガス抜き設備を介して大気に放出されているが、これら設備で排出できないガスは廃棄物内部に滞留し、何らかの原因で爆発、火災を誘発したり、隆起・沈下する場合がある。したがって、最終覆土には発生ガスの排出に対処できる機能も必要とされる。
【０００５】
そこで、最終処分場表面からの雨水浸透抑制機能および発生ガス排出機能を図る最終覆土として、基本的には図６に示すような廃棄物１１の上に排気層１２、遮水層１３、排水層１４、保護層１５、表層１６を順次形成しており、遮水層として図示の他に例えば遮水シートを敷設して雨水の浸透を防止している。
【０００６】
しかし、廃棄物の分解促進による体積減少で埋立完了後の不等沈下を生じた場合や、ガス抜き設備が適正に配置されていない場合、排気層が何らかの要因で閉塞した場合には、図６のような排気層を設けていても、発生ガスの滞留とそれに伴う支障が生じる可能性が高かった。
【０００７】
そこで、かかる不都合を解消する遮水工法として廃棄物の覆土表面をうね状または小山（マウンド）状の凹凸に形成して遮水シートを敷設し、遮水シートの凸部の頂部にガス抜き弁を設けたものがある（例えば特許文献１参照）。
【０００８】
また、排水層や遮水層による雨水の遮断により、廃棄物への水分供給が遮断されると、廃棄物内の汚濁物質の洗い流し効果が低減し、廃棄物の安定化促進が阻害されることになる。そこで、他の従来技術として、最終覆土上に浸透調整盛土を設け、この最終覆土と浸透調整覆土との間に透過する雨水を均一化するように調整する浸透調整シートを設けたものがある（例えば特許文献２参照）。
【０００９】
この浸透調整シートは不透水性シートに多数の貫通孔を均一に散在させて形成したもので、貫通孔の面積の大きさによって透過する雨水量を調整するものである。
【特許文献１】特許第３２２２４２１号公報
【特許文献２】特開２００２−１１３４３７号公報
【発明の開示】
【発明が解決しようとする課題】
【００１０】
前記特許文献１に記載の従来技術は、遮水シートの敷設面である覆土表面を畝状またはマウンド状に施工する必要があり、十分な施工管理が必要となって施工性がよくない。さらに、シートの継ぎ目は畝の方向に規制されるため、施工に際しては事前の平面敷設検討を必要とする。
【００１１】
特許文献２に記載の従来技術は、平面的な浸透調整シートに対してその同一面に貫通孔を形成しているため、シート界面部の飽和度が高くなると、浸透量の制御が困難になるおそれがある。さらに、シートが平面的に敷設されていることから、雨水などの浸透とシート界面部での飽和度の上昇から傾斜地ではシート上面に敷設された表層土層が斜面に沿って滑り崩壊を招くおそれもある。
【００１２】
この発明の目的は前記従来例の不都合を解消するものとして、雨水浸透調整機能および発生ガス排出機能を備えることはもちろんのこと、容易に敷設できて施工性を向上でき、表層崩壊も防ぐことのできるシートおよびその敷設方法を提供することにある。
【課題を解決するための手段】
【００１３】
この発明は前記従来例の不都合を解消するため、請求項１記載の発明は、シートとして、覆土構成材料として敷設されるシートであって、凸部の頂部または凹部の底部に雨水浸透・発生ガス排気のための開口を形成したことを要旨とする。
【００１４】
請求項１記載の本発明によれば、雨水は凸部の頂部に設けた開口から浸透し、ガスもこの凸部内を自然上昇して開口から排出される。また、シートにはスポット的に凹凸部を形成したからこの凹凸部が法面に食い込み、シート面との界面形成を阻止できる。また、隣接のシートとの接続も方向性に規制されることなく凹凸を噛み合わせることができ、施工性がよい。
【００１５】
請求項２記載の発明は、シートの敷設方法として、覆土構成材料として敷設され、全面に多数の凹凸をスポット的に設け、凸部の頂部に雨水浸透・発生ガス排気のための開口を形成したシートの上面に上層覆土材を敷設して転圧し、シートの凹凸を上下の覆土層内に食い込ませることを要旨とする。
【００１６】
請求項２記載の本発明によれば、覆土上に敷設したシートの凹凸が法面土塊へ確実に食い込むから、シート面との界面形成を阻止でき、傾斜面に敷設した場合でも法面土塊の滑り崩壊を誘発しないせん断強度を有するものとなる。
【００１７】
請求項３記載の発明は、上層覆土材に砕石などの排水性の高い材料を敷設することを要旨とする。
【００１８】
請求項３記載の本発明によれば、より高い排水機能を確保できる。
【発明の効果】
【００１９】
以上述べたようにこの発明のシートおよびその敷設方法は、シートに多数の凹凸をスポット的に設け、凸部の頂部に開口を形成したから、例えば廃棄物最終処分場の最終覆土中に敷設することで、雨水浸透調整機能および発生ガス排出機能を確保でき、廃棄物に必要な水分を供給でき廃棄物内の汚濁物質の洗い流し効果を実効的なものにでき、廃棄物の安定化促進を図ることができ、また、廃棄物から発生するガスを排出することができ、廃棄物がガス圧により押し上げられて不安定な状態となることを阻止できる。
【００２０】
また、シートの敷設に際しては覆土表面を畝状に形成するなどの手間を要せず、また、隣接のシート同士の接続も凹凸の方向性に規制されることがないから、シートを容易に敷設できて施工性を向上でき、凹凸が上下の覆土に食い込むから表層崩壊も防ぐことのできるものである。
【発明を実施するための最良の形態】
【００２１】
以下、図面についてこの発明の実施の形態を詳細に説明する。図１はこの発明のシートの実施形態を示す斜視図、図２は同上縦断正面図で、シート１は不透水性の材料で作製され、全面にわたってスポット的に多数の凹部２と凸部３とを形成し、凸部３の頂部には先端を切断するようにして通気通水のための開口４を設けた。
【００２２】
前記凹部２と凸部３との形成方法は、工場でのラインでシート製造時に凹部２と凸部３とを同時に一体化製造する方法や予め作製した面状のシート材に凹凸部を後から設ける方法などがある。
【００２３】
また、凹凸部の形状は、図２に示すようにエンボス加工によるシート１を作製することで均一的な形状や規則的な形状とすることもできるが、図３に示すように凹凸を不均等に形成することもでき、いずれにしても凸部３による通水・通気に支障のない形状であればよい。
【００２４】
開口４は、凸部３の頂部に１つ、または適宜複数個設ける。この場合、開口４はシート１に均一に設置することが望ましいが、最終処分場の上部のその後の土地利用計画などにより不均一の開口配置とすることもできる。
【００２５】
また、開口径は通水調整量により設定されるが、上部の覆土材などが通水とともに開口４を介してシート１の下方に移動することがないような大きさに設定する。なお、必要に応じて上部の覆土材などの移動を阻止するためのフィルターなどをシートの上面に敷設することができる。
【００２６】
このような開口４の形成は、工場または敷設現場のいずれにおいても実施可能である。
【００２７】
以上のようにして開口４の開口径および開口４を設けた凸部３の数を調整することで、シート１の透過水量を設定する。
【００２８】
次に、かかるシート１を例えば廃棄物最終処分場の最終覆土に敷設する方法について説明する。廃棄物１１の上に下層覆土材５を盛土し、その上にこの発明のシート１を敷設し、さらにその上に砕石などによる保護土としての上層覆土材６、表層材７を順次盛土する。
【００２９】
この場合、シート１の敷設面の覆土部である下層覆土材５には必要最低限の排水勾配を確保し、この上にシート１を設置し、上層覆土材６を敷設した後、上から転圧する。これにより、シート１に形成してある凹凸が上下の土層内に食い込み、相互にせん断抵抗が生じ、シート１の面上の水分は凹部２を流下するが、凹凸の法面土塊への食い込みによってシート面との界面形成が阻害できるので、法面土塊の滑り崩壊を防げる。
【００３０】
なお、シート１自身が転圧荷重に対して十分耐えられる強度を有している場合は、上層覆土材６を敷設する前にシート１を直接転圧すれば、シート１と下層覆土材５との密着性をより高くすることができる。
【００３１】
また、上層覆土材６に砕石などを使用することでより高い排水機能を確保できる。
【００３２】
かかるシート１の敷設は、複数枚を隣り合わせながら順次敷設するが、継ぎ目部８では、図５に示すように先施工のシート１ａの上に後施工のシート１ｂが一部重合する。この重合部においては、両シート１ａ，１ｂの凹凸を相互に噛み合わせればよく、この場合、凹部２と凸部３とは前記のようにスポット的に形成してあるから各シート１ａ，１ｂの向きに左右されることなく任意の方向に継ぎ目部８を配置できる。
【００３３】
このようにしてシート１ａ，１ｂの凹凸が相互にかみ合うことと、シート１ａ，１ｂの上部の覆土重量によってシート１ａ，１ｂ相互が密着され、その結果、継ぎ目部８が斜面部に位置していてもシート１ａ，１ｂのはく離による滑り崩壊を防止できる。
【００３４】
そして、シート１を敷設した状態では、凸部３に設けた開口４を介して廃棄物１１に必要な水分を供給でき廃棄物１１内の汚濁物質の洗い流し効果を実効的なものにでき、廃棄物１１の安定化促進を図ることができ、また、廃棄物１１から発生するガスを排出することができる。これにより、最終処分場全体での雨水浸透・ガス排出の制御が可能となる。
【産業上の利用可能性】
【００３５】
この発明は、雨水浸透制御が必要な造成工事一般に適用できるものであり、かかる場合は、雨水などの浸透による土砂災害を抑制でき、開口を介して地下水涵養を図ることができ、また、開口を通気孔として機能させることで地中の生物生息環境への影響も軽減できる。
【図面の簡単な説明】
【００３６】
【図１】この発明のシートの実施形態の一例を示す斜視図である。
【図２】この発明のシートの第１実施形態を示す縦断正面図である。
【図３】この発明のシートの第２実施形態を示す縦断正面図である。
【図４】この発明のシートの敷設方法の実施形態を示す縦断正面図である。
【図５】この発明のシートの敷設方法の実施形態を示す継ぎ目部の縦断正面図である。
【図６】廃棄物最終処分場の最終覆土の縦断正面図である。
【符号の説明】
【００３７】
１，１ａ，１ｂ  シート      ２  凹部
３  凸部                    ４  開口
５  下層覆土材              ６  上層覆土材
７  表層材                  ８  継ぎ目部
１１  廃棄物                １２  排気層
１３  遮水層                １４  排水層
１５  保護層                １６  表層
【図１】
2005211706.tif 000003
【図２】
2005211706.tif 000004
【図３】
2005211706.tif 000005
【図４】
2005211706.tif 000006
【図５】
2005211706.tif 000007
【図６】
2005211706.tif 000008